(57)【特許請求の範囲】
【請求項１】
中心部にダクトを配置し、該ダクトの周囲に、複数の空気噴出孔を周面に有する複数のパイプを配設し、これらのパイプの孔から上記ダクトの円周方向に空気を噴出させて渦流を形成しつつ、該渦流によって取り込まれた臭気を上記ダクトによって吸引するようにした臭気捕集装置において、上記複数のパイプを上記中心部から半径方向にかつ斜め下方に向けて配設し、上記パイプの複数の孔を先端に向かうに従って大径に形成したことを特徴とする臭気捕集装置。
【請求項２】
中心部にダクトを配置し、該ダクトの周囲に、複数の空気噴出孔を周面に有する複数のパイプを配設し、これらのパイプの孔から上記ダクトの円周方向に空気を噴出させて渦流を形成しつつ、該渦流によって取り込まれた臭気を上記ダクトによって吸引するようにした臭気捕集装置において、上記複数のパイプを上記中心部から半径方向にかつ斜め下方に向けて配設し、上記パイプの複数の孔を、該パイプの先端に向かうに従って上記中心部側を向くように形成したことを特徴とする臭気捕集装置。
【請求項３】
中心部にダクトを配置し、該ダクトの周囲に、複数の空気噴出孔を周面に有する複数のパイプを配設し、これらのパイプの孔から上記ダクトの円周方向に空気を噴出させて渦流を形成しつつ、該渦流によって取り込まれた臭気を上記ダクトによって吸引するようにした臭気捕集装置において、上記複数のパイプを上記中心部から半径方向にかつ斜め下方に向けて配設し、上記ダクトの周面に、上下方向に少なくとも一以上の段のスリットを形成したことを特徴とする臭気捕集装置。
【請求項４】
上記スリットの上部にそれぞれフードを設けたことを特徴とする請求項３に記載の臭気捕集装置。
【発明の詳細な説明】
【０００１】
【産業上の利用分野】
本発明は、臭気捕集装置に関し、詳しくは、中心部にダクトを配置し、該ダクトの周囲に、複数の空気噴出孔を周面に有する複数のパイプを配設し、これらのパイプの孔から円周方向に空気を噴出させて渦流を形成しつつ、該渦流によって取り込まれた臭気を上記ダクトによって吸引するようにした臭気捕集装置に関する。
【０００２】
【従来の技術】
図４は、従来の一般的な臭気捕集装置を示すものである。
この装置は、臭気発生源１の上方にフード２を配置し、臭気発生源１から発せられる臭気を、フード２により捕集して、ダクト３を介して吸引するようにしたものである。
【０００３】
【発明が解決しようとする課題】
ところで、上記した従来の臭気捕集装置では、臭気発生源１の位置が一定しない場合には、臭気がフード２よりはみ出してしまい、ダクト３を介して良好に臭気を捕集することができない場合があった。
【０００４】
一方、従来より、渦流を利用して臭気を吸引する臭気捕集装置が種々提案されている。
図５は、このような臭気捕集装置の一例を示すものである。
同臭気捕集装置は、天井側の中心部に設けたダクト４の周囲に４本のパイプ５が上下方向けて配設された構成となっている。これらのパイプ５の周面には、複数の空気噴出孔６が上から下まで等間隔で形成されている。そして、４本のパイプ５の孔６を、ダクト４を中心として上からみて反時計方向に向けており、これにより、ダクト４の回りに空気の渦流が形成されるようになっている。
【０００５】
上記臭気捕集装置では、上記構成としたことにより、ダクト４の下方で形成された渦流によって臭気を取り込み、この取り込んだ臭気をダクト４により吸引することができる。
しかしながら、このような臭気捕集装置では、４本のパイプ５で囲まれた閉空間内で発生する臭気だけを捕集するには適するが、空間内で対象物が移動する場合、パイプが障害となる恐れがあった。
【０００６】
本発明は、上記実情に鑑みてなされたもので、臭気発生源の位置が一定しない場合でも、広い範囲で臭気を捕集することができるようにして、従来の問題を解消するようにした臭気捕集装置を提供することを目的とする。
【０００７】
【課題を解決するための手段】
本発明では、上記目的を達成するために、中心部にダクトを配置し、該ダクトの周囲に、複数の空気噴出孔を周面に有する複数のパイプを配設し、これらのパイプの孔から上記ダクトの円周方向に空気を噴出させて渦流を形成しつつ、該渦流によって取り込まれた臭気を上記ダクトによって吸引するようにした臭気捕集装置において、上記複数のパイプを上記中心部から半径方向にかつ斜め下方に向けて配設し、上記パイプの複数の孔を先端に向かうに従って大径に形成した。
また、本発明は、上記目的を達成するために、中心部にダクトを配置し、該ダクトの周囲に、複数の空気噴出孔を周面に有する複数のパイプを配設し、これらのパイプの孔から上記ダクトの円周方向に空気を噴出させて渦流を形成しつつ、該渦流によって取り込まれた臭気を上記ダクトによって吸引するようにした臭気捕集装置において、上記複数のパイプを上記中心部から半径方向にかつ斜め下方に向けて配設し、上記パイプの複数の孔を、該パイプの先端に向かうに従って上記中心部側を向くように形成した。
さらに、本発明は、上記目的を達成するために、中心部にダクトを配置し、該ダクトの周囲に、複数の空気噴出孔を周面に有する複数のパイプを配設し、これらのパイプの孔から上記ダクトの円周方向に空気を噴出させて渦流を形成しつつ、該渦流によって取り込まれた臭気を上記ダクトによって吸引するようにした臭気捕集装置において、上記複数のパイプを上記中心部から半径方向にかつ斜め下方に向けて配設し、上記ダクトの周面に、上下方向に少なくとも一以上の段のスリットを形成した。
【０００８】
また、本発明の実施形態では、上記パイプの複数の孔を先端に向かうに従って大径に形成した構成としている。
さらに、本発明の実施形態では、上記パイプの複数の孔を、該パイプの先端に向かうに従って上記中心部側を向くように形成した構成としてる。
さらにまた、本発明の実施形態では、上記ダクトの周面に、上下方向に少なくとも一以上の段のスリットを形成した構成としている。
加えて、本発明の実施形態では、上記スリットの上部にそれぞれフードを設けた構成としている。
【０００９】
【実施形態】
以下、本発明に係る臭気捕集装置の一実施形態を添付図面を参照しながら詳細に説明する。
図１〜図３は、本発明の一実施形態である臭気捕集装置を示すものである。
同臭気捕集装置は、略円柱状またはドーナツ状の中心部１１に、その中央を貫通するようにダクト１２を配置し、中心部１１からその半径方向にかつ斜め下方を向けて６本のパイプ１３をいわゆる傘状に配設した構成となっている（図１および図２参照）。
【００１０】
ここで、中心部１１は、空気供給ハイプ１４を介して送られた空気を一時溜めておき、各パイプ１３に均一に空気を送るための空気室を成すものである。
ダクト１２は、その下部１２ａが中心部１１の下方に貫通されている。しかも、ダクト１２の下部１２ａの周面には、上下方向に並んで複数段のスリット１５が形成されている。スリット１５は、環状のいわゆる空気取入れ口であり、その形成態様は特に限定されず、要は、空気を取入れることができるように形成されれば良い。
【００１１】
さらに、ダクト１２の下部１２ａの各スリット１５の上部には、下方に開く環状のフード１６がそれぞれ配設されている。
また、中心部１１に放射状に配設されたパイプ１３のそれぞれ周面には、複数の空気噴出孔１７が均等に形成されている。
【００１２】
これらの空気噴出孔１７は、ダクト１２を中心とする円周の接線方向またはそれより内側（中心部１１側）に向けられている。しかも、これらの空気噴出孔１７は、上記接線方向の同じ方向を向くように、詳しくは、上からみてダクト１２を中心に時計方向を向くように形成されている。
【００１３】
また、これらの空気噴出孔１７は、パイプ１３の先端に向かうに従って大径に形成されている。特に、本実施形態では、パイプ１３の長さの３分の１ずつ孔径を変えている。
具体的には、図３に示すように、パイプ１３の長さｌを１０００ｍｍとし、その径がφ４０ｍｍとした場合、該パイプの３分の１の中心部１１側寄りの内側部分に形成した孔１７の径をφ８ｍｍとし、その３分の１の中央部分に形成した孔１７の径をφ１０ｍｍとし、その３分の１の先端側部分に形成した孔１７の径をφ１５ｍｍとしている。
【００１４】
また、パイプ１３が上記寸法である場合、該パイプの３分の１の中心部１１側寄りの内側部分に形成した孔１７の列と、その３分の１の中央部分に形成した孔１７の列と、その３分の１の先端側部分に形成した孔１７の列との間隔ａ，ｂをそれぞれ１５ｍｍとしている。これにより、パイプ１３の３分の１の中心部１１側寄りの内側部分に形成した孔１７の列に対して、その３分の１の中央部分に形成した孔１７の列は１５ｍｍだけ中心部１１側を向き、その３分の１の中央部分に形成した孔１７の列に対して、その３分の１の先端側部分に形成した孔１７の列は１５ｍｍだけさらに中心部１１側を向いている。
【００１５】
次ぎに、本実施形態の臭気捕集装置の作用について説明する。
同臭気捕集装置では、空気供給パイプ１４を通じて中心部１１内に空気を送ると、その空気が各パイプ１３の各空気噴出孔１７から、上からみて時計方向に噴出され、これにより、これらのパイプ１３の下方に螺旋状の渦流が形成される。この渦流は、複数のパイプ１３が斜め下方に向けて放射状に配設されていることから、略円錐状に形成される。このとき、本実施形態では、このような略円錐状の渦流を形成するために、空気噴出孔１７から噴出する空気は、全てこの略円錐の周面における接線方向のより内向きに噴出されている。
【００１６】
このような円錐状の渦流は、パイプ１３の下方において、各パイプ１３の先端を結ぶ距離Ｄ（図１参照）よりもさらに広がり、その周囲の空気も広範囲に巻き込む。このため、下方の臭気発生源（図示せず）の位置が一定しない場合でも、臭気を該渦中に効果的に取り込むことができる。同時に、この渦流によって取り込まれた臭気は、ダクト１２の下部に形成した複数のスリット１５によって、上記渦流の流れに沿って良好に吸引される。このとき、臭気は、各スリット１５の上部に設けたフード１６によって、該スリットへ効果的に導かれる。
【００１７】
なお、上記実施形態では、パイプ１３の本数や長さおよび径を限定して説明したが、本発明はこれに限らず、３本でも４本でも、またはそれ以上でも良く、また、その長さや径も適宜選択すれば良い。要は、吸引しようとする臭気の広がりの範囲を考慮して、適宜決定すれば良い。
【００１８】
【発明の効果】
本発明に係る臭気捕集装置では、中心部にダクトを配置し、該ダクトの周囲に、複数の空気噴出孔を周面に有する複数のパイプを配設し、これらのパイプの孔から上記ダクトの円周方向に空気を噴出させて渦流を形成しつつ、該渦流によって取り込まれた臭気を上記ダクトによって吸引するようにした臭気捕集装置において、上記複数のパイプを上記中心部から半径方向にかつ斜め下方を向けて配設した構成としているので、次のような効果を得ることができる。
【００１９】
すなわち、本発明では、上記パイプを斜め下方に開た構成としたことにより、該パイプの下方において、下方に向けて広がる渦流を形成することができる。この渦流は、各パイプの先端を結ぶ円よりも広い範囲に渡って空気を取り込むことができるので、下方の臭気発生源の位置が一定しない場合でも、臭気を広い範囲から上記渦中に効果的に取り込むことができる。
【００２０】
また、本発明では、上記パイプの複数の孔を先端に向かうに従って大径に形成することにより、上記複数の空気噴出孔から噴出される空気を上記パイプの全長に渡って略均一に噴出させることができる。
さらに、本発明では、上記パイプの複数の孔を、該パイプの先端に向かうに従って上記中心部側を向くように形成することにより、上記パイプの下方に螺旋状または円錐状の上記渦流を効果的に作り出すことができる。
【００２１】
さらにまた、本発明では、上記ダクトの周面に、上下方向に少なくとも一以上の段のスリットを形成することにより、上記渦流の流れに沿って臭気を効率良く吸引することができる。しかも、上記スリットの上部にそれぞれフードを設けた場合には、上記渦流に取り込まれた臭気を上記ダクトへ効果的に導くことができる。
【図面の簡単な説明】
【図１】本発明にかかる臭気捕集装置の一実施形態を概念的に示す側面図である。
【図２】本発明にかかる臭気捕集装置の一実施形態を概念的に示す一部断面平面図である。
【図３】本発明にかかる臭気捕集装置の一実施形態で採用したパイプを示す平面図である。
【図４】従来の臭気捕集装置の一例を示す図である。
【図５】従来の臭気捕集装置の別の例を示す斜視図である。
【符号の説明】
１１  中心部
１２  ダクト
１２ａ  下部
１３  パイプ
１４  空気供給ハイプ
１５  スリット
１６  フード
１７  空気噴出孔
【図１】
0003564415.tif 000002
【図２】
0003564415.tif 000003
【図３】
0003564415.tif 000004
【図４】
0003564415.tif 000005
【図５】
0003564415.tif 000006